(57)【要約】【課題】給油タンクを反転させることなく、燃油の補給が極めて簡単に行える燃油供給装置を提供する。【解決手段】底部には下方に備えられた受け部１３と嵌合し、内方の弁体６を開放させる連結部３を備え、上部には上方開放の上部蓋７を設けたカートリッジ式の給油タンク１と、前記連結部３と連結した受け部１３と連通し、給油タンク１からの燃油の供給を一定量に規制する規制手段２０を備えたレベラー１６とで構成したので、燃油の供給は下方から行い、燃油の補給は上方から行うことが可能となり、燃油の補給の為に２回も給油タンクの天地を逆転する必要がなく、誰でも容易に燃油の補給が出来、特に婦女子や高齢者でも安心して行えるものである。【選択図】  図１
2004360955.tif 000002
【特許請求の範囲】
【請求項１】
底部には下方に備えられた受け部と嵌合し、内方の弁体を開放させる連結部を備え、上部には上方開放の上部蓋を設けたカートリッジ式の給油タンクと、前記連結部と連結した受け部と連通し、給油タンクからの燃油の供給を一定量に規制する規制手段を備えたレベラーとで構成された事を特徴とする燃油供給装置。
【請求項２】
前記給油タンク内の上部には、漏斗手段を備えた事を特徴とする請求項１記載の燃油供給装置。
【請求項３】
前記給油タンク底部には、連結部より下方に突出し該連結部の周囲を覆うスカート部を設けた事を特徴とする請求項１及び２記載の燃油供給装置。
【発明の詳細な説明】
【０００１】
【産業上の利用分野】
この発明は暖房器具等で使用されるカートリッジ式の給油タンクによる燃油の供給装置に関するものである。
【０００２】
【従来の技術】
従来よりこの種のものでは、燃油の供給時には底部に位置する給油口を、燃油の補給時には給油タンクを逆さにして、給油口を上方にした後にツマミを引くだけのワンタッチ操作で、この給油口を開口して燃油の補給が出来、又手で押さえ込むだけの操作で、給油口を閉めることができるので、手を汚すことなく燃油の補給が容易に行えるものであった。（例えば、特許文献１参照。）
【０００３】
【特許文献１】
特公平５−２６０９６号公報
【０００４】
【発明が解決しようとする課題】
ところでこの従来のものでは、燃油の補給をする為には、給油タンクの天地を逆にして給油口を上にしなければならず、更に補給後は再び給油タンクを逆にして給油口を下にしなければならず、特にこの補給後の反転は給油タンクが補給で重くなっているので、大変であり婦女子や高齢者では容易に行うことが出来ず、給油タンクを落として破損させたり、腰を痛める等の問題点を有するものであった。
【０００５】
【問題点を解決するための手段】
この発明はこの点に着目し上記欠点を解決する為、特にその構成を、底部には下方に備えられた受け部と嵌合し、内方の弁体を開放させる連結部を備え、上部には上方開放の上部蓋を設けたカートリッジ式の給油タンクと、前記連結部と連結した受け部と連通し、給油タンクからの燃油の供給を一定量に規制する規制手段を備えたレベラーとで燃油供給装置を構成したものである。
【０００６】
これにより、給油タンクからの燃油の供給は、受け部と連通したレベラーで行われ、従来のように給油タンク自身では行われないので、給油タンクの上部に上方開放の上部蓋を設けることで空気が流入しても、給油タンク内の燃油が全て流出すると言う心配がなく、燃油の供給は下方から行い、燃油の補給は上方から行うことが可能となり、燃油の補給の為に２回も給油タンクの天地を逆転する必要がなく、誰でも容易に燃油の補給が出来、特に婦女子や高齢者でも安心して行えるものである。
【０００７】
又請求項２によれば、給油タンクの上部には漏斗手段を備えることで、漏斗手段に滴下する燃油を中央の給油口に集めることが出来、周囲を汚すことなく比較的ラフに燃油の補給が行えるものである。
【０００８】
又請求項３によれば、スカート部が脚部となって燃油の補給時には、器具から取り出したそのままの状態で給油タンクを置いて補給が行え、煩わしい作業がいらずに極めて簡単に行われるものである。
【０００９】
【発明の実施の形態】
次にこの発明に係る燃油供給装置を図面に示された一実施形態を基に説明する。
１は燃油を貯留したカートリッジ式の給油タンクで、底部には円筒状で外周に密閉用の二つのＯリング２を備えた連結部３が設けられ、この連結部３内にはスプリング４によって常に吐出口５を閉塞するように作用する弁体６が備えられている。
【００１０】
前記給油タンク１の上部には、一側方を支点に回動し給油タンク１上方を開放する上部蓋７が備えられ、この上部蓋７の回動支点とは反対側には開放を阻止する係止部８が設けれらており、更に上部蓋７の裏側には給油タンク１上部内方に備えられた擂り鉢状の漏斗手段９の中央の給油口１０を閉塞する栓体１１が位置し、表面側には給油タンク１の持ち運び用の持ち手１２が備えられている。
【００１１】
１３は連結部３が密閉嵌合する受け部で、内方中央には弁体６をスプリング４に抗して押し上げて吐出口５を開口させる押し上げ桿１４が設けられ、送油パイプ１５を介してレベラー１６と連通して給油タンク１内の燃油を供給するものである。
【００１２】
前記レベラー１６は、送油パイプ１５と連通した立ち上げ管１７と、油面に応じて上下動するフロート１８と該フロート１８の上下動に連動して立ち上げ管１７の流出口を開閉する弁１９とから成る規制手段２０とが備えられ、給油タンク１からの燃油の供給を受けて常に一定量を貯留するものであり、電磁ポンプ２１の駆動で貯留した燃油を適宜燃焼部（図示せず）に供給して燃焼させるものである。
【００１３】
２２は給油タンク１底部で連通部３の外周を覆うと共に、該連通部３より下方に突出したスカート部で、給油タンク１への燃油の補給時には支持脚として作用し、反転させることなくそのままの状態で補給を行うものである。
【００１４】
次にこの発明一実施形態の作動について説明する。
今給油タンク１内に貯留した燃油を燃焼部へ供給する為に、給油タンク１の連通部３を受け部１３に嵌合すれば、連結部分は密閉され押し上げ桿１４によって弁体６が押し上げられて吐出口５が開口される。
【００１５】
これによって、給油タンク１内の燃油は連通部３から受け部１３、送油パイプ１５を介して立ち上げ管１７からレベラー１６に供給され、そしてレベラー１６内で燃油が規定量になれば、フロート１８に連動した弁１９が立ち上げ管１７の流出口を塞ぐことで燃油の供給は停止される。
【００１６】
更にレベラー１６内の燃油が電磁ポンプ２１の駆動で燃焼部に供給されて減少すれば、これに応じてフロート１８が下がり弁１９によって立ち上げ管１７が開口されて、減少した分の燃油が給油タンク１から供給されるものであり、順次これを繰り返して燃油が消費されて行くものであり、給油タンク１に供給用と補給用にそれぞれ口を設けたとしても、レベラー１６と連通させることで、それぞれ口に密閉構造を持たせなくとも、所定量ずつの燃油の供給が行われ、安心して使用出来るものである。
【００１７】
次に給油タンク１内が空になり燃油の補給を行う場合には、持ち手１２を持って給油タンク１を引き上げることで、連通部３と受け部１３との連通が外され、吐出口５はスプリング６の作用で弁体４で自動的に閉塞されるものであり、そしてこの状態でスカート部２２を支持脚として給油タンク１を反転させることなく一旦床面に置いておき。
【００１８】
今度は給油タンク１上部の上部蓋７を係止部８の係止を外して開放し、上方に露呈する漏斗手段９の中央の給油口１０から燃油の補給を行えば良く、補給後は上部蓋７を元に戻し係止手段８の係止をしてから、持ち手１２を持って器具本体等のタンク室（図示せず）に挿入すれば、再び底部の連通部３が受け部１３と嵌合して燃油の供給状態に戻るものである。
【００１９】
従って、給油タンク１への燃油の補給は、該給油タンク１を反転させることなく、取り出した状態のままで上部から容易に行えるものであり、又燃油が補給され重くなった給油タンク１を再び器具に戻す時も、該給油タンク１の天地を逆転させることなく、そのままの状態で戻すことが出来、力のない婦女子や高齢者でも容易に燃油の補給が行えるものであり、補給が極めて容易で安全に行われるものである。
【００２０】
更に給油タンク１への燃油の補給は、漏斗手段９で給油口１０から外れた燃油も集めながら行えるので、周囲を汚す心配が無く安心して補給することが出来、使用勝手が極めて良いものである。
【００２１】
【発明の効果】
以上のようにこの発明によれば、給油タンクからの燃油の供給は、受け部と連通したレベラーで行われ、従来のように給油タンク自身では行われないので、給油タンクの上部に上方開放の上部蓋を設けることで空気が流入しても、給油タンク内の燃油が全て流出すると言う心配がなく、燃油の供給は下方から行い、燃油の補給は上方から行うことが可能となり、燃油の補給の為に２回も給油タンクの天地を逆転する必要がなく、誰でも容易に燃油の補給が出来、特に婦女子や高齢者でも安心して行えるものである。
【００２２】
又請求項２によれば、給油タンクの上部には漏斗手段を備えることで、漏斗手段に滴下する燃油を中央の給油口に集めることが出来、周囲を汚すことなく比較的ラフに燃油の補給が行えるものである。
【００２３】
又請求項３によれば、スカート部が脚部となって燃油の補給時には、器具から取り出したそのままの状態で給油タンクを置いて補給が行え、煩わしい作業がいらずに極めて簡単に行われるものである。
【図面の簡単な説明】
【図１】この発明一実施形態を付した燃油供給装置の説明図。
【図２】同上部蓋を開放した状態の説明図。
【符号の説明】
１  給油タンク
３  連結部
６  弁体
７  上部蓋
９  漏斗手段
１３  受け部
１６  レベラー
２０  規制手段
２２  スカート部
【図１】
2004360955.tif 000003
【図２】
2004360955.tif 000004